(57)【要約】【課題】被検者の肉体状態を把握して病気の早期発見に寄与することができると共に、被検者に対して肉体を正常な状態に改善するように促す判断材料とすることができる潜在的肉体環境の測定方法を提供することにある。【解決手段】室温を３８℃〜６０℃、湿度を９０％〜９８％に維持された出入り可能な血流促進装置付サウナ室に被検者が入って、入った直後並びにその後の所定時間経過後後、更には両手および両足を１０分〜１２分間位湯に浸けた後に、右手側と左手側の血圧、脈拍および体温等を測定し、その後、血流促進装置付サウナ室から出て室外で十数分間休憩し、その後、上記の測定等を複数回繰り返し、各測定値をパソコンに入力し、入力した上記各測定値、並びに右手側データの合計値および左手側データの合計値をそれぞれ肉体年齢値に置換して現在の潜在的肉体状態を判定する。【選択図】なし【特許請求の範囲】
【請求項１】
（１）室温を３８℃〜６０℃、湿度を９０％〜９８％に維持された出入り可能な血流促進装置付サウナ室に被検者が入り、血流促進装置付サウナ室に入った時の被検者の右手側と左手側のそれぞれの血圧、脈拍および体温を測定し、その測定値を被検者または室外の者が記録する第１過程と、
（２）入室後、１０分〜１３分位経過後に再び上記の測定を行って測定値を記録する第２過程と、
（３）第２過程後に両手および両足を１０分〜１２分間位湯に浸けて再び上記の測定を行って測定値を記録する第３過程と、
（４）第３過程後に血流促進装置付サウナ室から出て室外で十数分間休憩する第４過程と、
（５）上記第１過程から第４過程を３回以上繰り返す第５過程と、
（６）第５過程の終了後に血流促進装置付サウナ室から出て２０〜３０分入浴する第６過程と、
（７）第６過程の終了後に１時間位の間隔をおいて再び上記血流促進装置付サウナ室に入り、右手側と左手側の血圧、脈拍および体温を測定し、その測定値を被検者が記録し、その後に被検者が血流促進装置付サウナ室から出て上記した測定の過程を終了する第７過程と、
（８）上記の右手側並びに左手側の各測定値、または上記各測定値および各測定値を基に算出した右手側算出データ並びに左手側算出データをパソコンに入力する第８過程と、
（９）パソコンで算出する第９過程と、
（１０）上記右手側並びに左手側の各測定値をパソコンでグラフを作成処理する第１０過程と、
(１１)パソコンに入力した上記各測定値、並びに上記右手側データの合計値および左手側データの合計値を、それぞれ肉体年齢値に置換する第１１過程と、
(１２)  第１１過程での肉体年齢値から現在の潜在的肉体状態を判定する第１２過程と
からなることを特徴とする潜在的肉体環境の測定方法。
【発明の詳細な説明】
【技術分野】
【０００１】
本発明は、老若男女を問わずあらゆる被検者の肉体状態を把握して、被検者に現在の身体の健康状態をアドバイスすることができる潜在的肉体環境の測定方法に関するものである。
【背景技術】
【０００２】
一般に中高年の人は勿論のこと、自分は健康であると考えている若い人の中にも心臓病や肝臓病、腎臓病、癌、高血圧症や低血圧症等の各種の病気を患っている人が多い。また、各種の病気の検査を受けるとなると病院や医院や診療所等で日時を予約した上で来院し、尿検査や血液検査やレントゲン検査等の各種検査を受けなければならず大変であり、また各種の検査を次々に受けることにより人によっては精神的・肉体的に身体への負担となる。
【０００３】
そこで、簡単な検査判定方法で現在の自分の肉体状態（健康であるか否かの状態）を知ることができれば有難いことであると考えるひとも多い。
【０００４】
また、各種の病気を患っているひとが抗生物質等の薬剤を服用した場合、肉体にとって多少の副作用があるのも事実であり、薬剤を服用することなく病気が改善したり完治すれば有難いことである。
【０００５】
なお、身体に温浴効果を与えて健康状態を測定する測定装置を設けた入浴システムとしては特許文献１に開示のようなものはあった。
【特許文献１】特開２０００−２７１０９５号公報
【発明の開示】
【発明が解決しようとする課題】
【０００６】
本発明は上記のような点に鑑みて開発されたものであり、その目的とするところは、被検者の肉体状態を把握して病気の早期発見に寄与することができると共に、被検者に対して肉体を正常な状態に改善するように促す判断材料とすることができる潜在的肉体環境の測定方法を提供することにある。
【課題を解決するための手段】
【０００７】
上記した目的を有効に達成するために、本発明の潜在的肉体環境の測定方法は、特許請求の範囲に記載した過程からなる構成であり、または次の構成である。
（１）右手側と左手側のそれぞれの体温を測り続いて血圧、脈拍を測定（温熱する前の状態）記録する第１過程と、
（２）測り終えると、右側と左側に設置された肘掛用血流促進装置に両手を浸し、脚用血流促進装置に両足を浸し、タイマーを入れ、ブザー（１０分〜１３分）が鳴ると再び上記の測定を行い、測定値を記録する第２過程と、
（３）ブザーが鳴ると再び上記の測定を行って測定値を記録する第３過程と、
（４）第３過程後に血流装置付・常温サウナ室から出て室外で十数分間休憩する第４過程と、
（５）上記第１過程から第４過程を２回以上繰り返す第５過程と、
（６）第５過程の終了後に血流装置付・常温サウナ室から出て２０〜３０分入浴する第６過程と、
（７）右手側と左手側の体温を測り、後に血圧、脈拍を測定し、その測定値を被検者が記録し、その後に被検者が血流装置付・常温サウナ室から出て上記した測定の過程を終了する第７過程と、
（８）上記の右手側並びに左手側の各測定値を、パソコンに入力する第８過程と、
（９）パソコンで、（(1)最高血圧,(2)最低血圧,(3)血圧差（最高血圧と最低血圧との差）,(4)脈拍,(5)脈拍差（温熱前の脈拍と温熱中の脈拍との差）,(6)平均脈拍（温熱中の測定回数合計÷回数）,(7)体温,(8)体温差（温熱前の体温と温熱中の体温との差、但し温熱中）,(9)平均脈拍（温熱中の測定回数合計÷回数））９項目を算出する第９過程と、
（１０）上記右手側並びに左手側の各測定値をパソコンでグラフを作成処理する第１０過程と、
(１１)それぞれに肉体年齢値および病因度値に置換する第１１過程と、
(１２)  第１１過程での肉体年齢値・病因度値から現在の潜在的肉体状態を判定する第１２過程とからなる。
【発明の効果】
【０００８】
上記のような構成からなる本発明の潜在的肉体環境の測定方法によれば、老若男女を問わず誰でもリラックスした状態で検査を受けることができ、身体に過度の負担をかけることなく被検者の肉体状態を把握して病気の早期発見に寄与することができる。また、被検者に対して肉体を正常な状態に改善するように促す判断材料を提供することができ、病気の改善の一助となり得る。
【発明を実施するための最良の形態】
【０００９】
以下、本発明を実施するための最良の形態について説明する。
本発明の潜在的肉体環境の測定方法を順を追って説明する。
先ず、本発明において使用される血流促進装置付常温サウナ室（以下、サウナ室という。）について説明すると、このサウナ室は、中空なる直方体形状で一部に透明な覗き窓を備えた木製の箱体およびこの箱体の出入り口用開口部にドアを密閉可能に設けたサウナ室本体と、このサウナ室本体の上部に設けた送気孔および排気孔と、送気孔に外部から接続した送気ダクトと、排気孔に外部から接続した排気ダクトと、上記の送気ダクトに接続した送風機と、排気ダクトに接続した空気清浄機および排風機と、サウナ本体内の左右に設置した椅子状の肘掛用血流促進装置と脚用血流促進装置とからなる構成のものである。そして上記の血流促進装置は、両肘掛部並びに足置き部にそれぞれ湯水貯留槽を有し、この各湯水貯留槽に充填した湯水を過熱・保温するためのヒーターを備えている。このサウナ室本体内には、外の新鮮な空気を送気ダクト、送気孔を介して供給される。また、被検者の身体から発生するガスによってサウナ室本体内が汚染されるのを防止するために、サウナ室本体内の汚れた空気は排気孔、排気ダクトを介して排風機で外に排出されると共に空気清浄機によって浄化され、サウナ室本体内を常に汚染されないようにすると共に外の環境に悪影響を与えないようにしてある。
【００１０】
そこで、上記のサウナ室を使った本発明の潜在的肉体環境の測定方法は、第１過程として、被検者の健康状態に応じて室温を３８℃〜６０℃位（３８℃〜５３℃が好ましく、肉体機能を向上させる必要のあるスポーツ選手の場合は６０℃でもよい）、湿度を９０％〜９８％に維持させたサウナ室本体内に被検者が入って、内部に設置されている血流促進装置の椅子に座る。そして、被検者自身でサウナ室に入り、右手側と左手側の体温を体温計で測定し、次に右手側と左手側の血圧（最高血圧、最低血圧）・脈拍を、血圧計で測定し、上記した各測定の測定値を被検者が記録紙にその都度記録する（表１の左側の前（温熱前）の項参照）。
【００１１】
なお、表中の（左）は左手側、（右）は右手側で測定した各測定値を示す。また、表中の左側の「前」は温熱前を示し、１〜６は温熱中の測定を示し、「後」は終了後の現在の状態を示す。通常一時間後に測定するが、２、３時間後でもよい。
【００１２】
次に第２過程として、右手を血流促進装置（右肘掛部）、左手を左肘掛部及び足置き部に左右の足を浸し（１０分〜１３分）ブザーが鳴ると足は血流促進装置に漬けた状態で、再び上記した右手側と左手側の各測定を行ってそれぞれの測定値を被検者が記録紙（表１の左側の１の項）に記録する。
【００１３】
なお、表中の「前」の測定タイムが「１１：１１」であり、表中の「１」の測定タイムが「１１：３８」であるため２８分の時間間隔となっているが、測定間隔は上記したように１０分〜１３分位経過後に測定している。したがって、１０分〜１３分の時間間隔よりも長い上記のような２８分の時間間隔となっているのは、その時の状態・状況等によって
記録紙に記入する時間が掛かっているためである。以後の測定における時間間隔（表中の「２」〜「６」の時間タイムも同様の理由で、必ずしも１０分〜１３分間隔ではない。
【００１４】
次に第３過程として、被検者は記録紙に記録したら、再び左右の肘掛部に両手を浸し、（足は第２過程から血流促進装置に漬けた状態）、１０分〜１３分でブザーが鳴ると再び第１過程で行った右手側と左手側の上記の各測定を行い、その測定値を被検者が記録紙（表１の左側の２の項）に記録する。
【００１５】
次に第４過程として、被検者は上記した第３過程を終了した後に、サウナ室本体から外に出て、室外で十数分間休憩する。
【００１６】
次に第５過程として、被検者は上記した第１過程から第４過程を２回以上繰り返す。（予約時間によって回数が決まる）１回の場合もある。右手側と左手側の上記の各測定を行って測定値を被検者が記録紙（表１の左側の３〜６の項）に記録する。
【００１７】
次に第６過程として、被検者は第５過程の終了後にサウナ室本体から外に出て、別に設置した浴槽で２０〜３０分入浴する
【００１８】
次に第７過程として、被検者は第６過程の終了後、１時間位の間隔をおいて再びサウナ室本体内に入り、上記した第１過程と同様の測定を行って被検者が各測定値を記録紙に記録し（表１の左側の後の項）、その後にサウナ室本体から出て終了する。（なお、上記の記録は自動的にパソコンに入力するようにしてもよい。）
【００１９】
次に第８過程として、第７過程で測定した右手側並びに左手側の各測定値（最高血圧、最低血圧、脈拍、体温）をパソコンに入力する。
【００２０】
次に第９過程として、上記の左手側測定値並びに右手側測定値を基に、(1)最高血圧,(2)最低血圧,(3)血圧差,(4)脈拍,(5)脈拍差,(6)平均脈拍,(7)体温,(8)体温差,(9)平均体温に分類（表２）並びに(1)血流状態,(2)血液,(3)血管,(4)肺心臓,(5)肺心臓機能,(6)肺・心臓老化度,(7)臓器,(8)臓器機能,(9)神経老化度を、肉体年齢（表４）および病因度（病因エネルギー）にパソコンで算出する。
病因度は、（化学複合物質）発生濃度量を数値に置換したものです。
病因エネルギーは、体内で発生する毒ガス（化学複合物質）の総称です。
表２、表４の見方は、横列（１〜９）に測定時の状態を、縦列に項目別の診断および改善状況を判るようにしてある。
【００２１】
次に第１０過程として、パソコンに入力した上記右手側並びに左手側の各測定値を基に、
総合グラフ（測定した最高血圧、最低血圧、脈拍、体温を測定時間ごとに）（表３）、折れ線グラフ（温熱前から終了時までを肉体年齢で表す。）、棒グラフ（診断・効果）、アナリストグラフ（温熱前から終了時までの各回と診断・効果をグラフで表す。）、項目別・折れ線グラフ（(1)最高血圧／血流状態,(2)最低血圧／血液,(3)血圧差／血管,(4)脈拍／肺心臓,(5)脈拍差・肺心臓機能,(6)平均脈拍／肺・心臓老化度,(7)体温・臓器,(8)体温差／臓器機能,(9)平均体温／中枢神経・肉体老化度）等その他をパソコン処理して、グラフを作成する。
【００２２】
次に第１１過程として、パソコンに入力した上記各測定値、並びに右手側データの合計値および左手側データの合計値を、パソコン処理によってそれぞれ肉体年齢（値）に置換（表４）する。表４中の肉体年齢（値）の合計（９項目の肉体年齢値の合計）の平均値を表中の右側に示す。各測定値に対応した肉体年齢（値）の値は、表５〜表２９に示す○印の箇所に示されている。
【００２３】
最後に第１２過程として、上記した第１１過程で得られた９項目の肉体年齢値の合計の平均値の肉体年齢（値）から現在の潜在的肉体状態を判定する。たとえば、被検者が７０才の男性の場合、表４を見ると、温熱前（サウナ室本体に入室直後の各測定値における各肉体年齢（値）を合計した値の平均値（平均の肉体年齢（値））は、左手側で７４．８、右手側で７６．３であり、７０才より高く健康であるとはいえない。また、表４中の丸１〜丸９の項目の肉体年齢（値）を見た場合、７０才より上か下かでそれぞれ判断し、７０才より下であれば健康であるが、７０才より上の肉体年齢（値）であれば、肉体の表４中に示す部位が悪いと判断（判定）することができる。
【００２４】
また、表４中の温熱後の丸１〜丸９の項目の肉体年齢（値）から判断（判定）すれば、７０才より下の数値が多く各部位で肉体環境（体内の各部位の健康状態）が改善されていることが判断（判定）できる。
【００２５】
このように上記した各測定値を体年齢（値）に置換することによって、被検者の現在の潜在的肉体環境（体内の各部位の健康状態）を判断（判定）することができる。
【００２６】
【表１】
2008161604.tif 000002
【表２】
2008161604.tif 000003
【表３】
2008161604.tif 000004
【表４】
2008161604.tif 000005
【表５】
2008161604.tif 000006
【表６】
2008161604.tif 000007
【表７】
2008161604.tif 000008
【表８】
2008161604.tif 000009
【表９】
2008161604.tif 000010
【表１０】
2008161604.tif 000011
【表１１】
2008161604.tif 000012
【表１２】
2008161604.tif 000013
【表１３】
2008161604.tif 000014
【表１４】
2008161604.tif 000015
【表１５】
2008161604.tif 000016
【表１６】
2008161604.tif 000017
【表１７】
2008161604.tif 000018
【表１８】
2008161604.tif 000019
【表１９】
2008161604.tif 000020
【表２０】
2008161604.tif 000021
【表２１】
2008161604.tif 000022
【表２２】
2008161604.tif 000023
【表２３】
2008161604.tif 000024
【表２４】
2008161604.tif 000025
【表２５】
2008161604.tif 000026
【表２６】
2008161604.tif 000027
【表２７】
2008161604.tif 000028
【表２８】
2008161604.tif 000029
【表２９】
2008161604.tif 000030